(57)【要約】【課題】用紙詰りを処理する際に開閉する開閉扉にかかる搬送ローラのニップ圧による反力を低減することができる用紙搬送装置及び画像形成装置を提供する。【解決手段】用紙を搬送する第１の搬送ローラ対の一方が設けられた装置本体と、装置本体の側面に形成された用紙搬送経路の一部を覆う閉位置と用紙搬送経路の一部を開放する開位置との間で移動可能に回転支持されるとともに用紙搬送経路に設けられた第２の搬送ローラ対の一方が設けられた開閉扉と、第１の搬送ローラ対の他方と、第２の搬送ローラ対の他方とを備え開閉扉に搖動可能に支持された搬送ユニットと、を備え、開閉扉が開位置から閉位置へ移動する際に、搬送ユニットが装置本体に形成された第１の位置決め部で位置決めされた後に、開閉扉が前記装置本体に形成された第２の位置決め部で位置決めされる。【選択図】図９
2015174699.tif 000002
【特許請求の範囲】
【請求項１】
用紙を搬送する第１の搬送ローラ対の一方が設けられた装置本体と、
前記装置本体の側面に形成された用紙搬送経路の一部を覆う閉位置と前記用紙搬送経路の一部を開放する開位置との間で移動可能に回転支持されるとともに前記用紙搬送経路に設けられた第２の搬送ローラ対の一方が設けられた開閉扉と、
前記第１の搬送ローラ対の他方と、前記第２の搬送ローラ対の他方とを備え前記開閉扉に搖動可能に支持された搬送ユニットと、を備え、
前記開閉扉が前記開位置から前記閉位置へ移動する際に、前記搬送ユニットが前記装置本体に形成された第１の位置決め部で位置決めされた後に、前記開閉扉が前記装置本体に形成された第２の位置決め部で位置決めされる、
ことを特徴とする用紙搬送装置。
【請求項２】
前記搬送ユニットが前記装置本体に対向する内面側に板状の掛かり部を備え、前記開閉扉が前記閉位置に移動する際に、前記掛かり部が前記装置本体に設けられた案内面に接触しながら案内され、前記第１の位置決め部に形成された開口部に係合して位置決めされる、
ことを特徴とする請求項１に記載の用紙搬送装置。
【請求項３】
前記開閉扉が前記閉位置から前記開位置へ移動する際に、前記掛かり部が前記案内面に案内されて前記第１の位置決め部から離接して、前記搬送ユニットが前記開閉扉の移動方向へ回転して前記第１の搬送ローラ対を互いに離間させるともに、前記第２の搬送ローラ対を互いに離間させる、
ことを特徴とする請求項１又は２に記載の用紙搬送装置。
【請求項４】
前記搬送ユニットが、一端が前記開閉扉の前記搬送ユニットに面した内面側に固定され、他端が前記搬送ユニットの前記開閉扉に面した外面側に固定された弾性部材に付勢されて、前記開閉扉が前記閉位置から前記開位置へ移動した際に、前記第２の搬送ローラ対を互いに離間させる、
ことを特徴とする請求項１ないし３のいずれか１項に記載の用紙搬送装置。
【請求項５】
前記搬送ユニットが、一端が前記本体の前記搬送ユニットに面した内面側に固定され、他端が前記搬送ユニットの前記本体に面した内面側に固定された弾性部材に付勢されて、前記開閉扉が前記閉位置から前記開位置へ移動した際に、前記第２の搬送ローラ対を互いに離間させる、
ことを特徴とする請求項１ないし３のいずれか１項に記載の用紙搬送装置。
【請求項６】
請求項１ないし５のいずれか１項に記載の用紙搬送装置と、
前記用紙搬送装置によって搬送された記録媒体に画像を形成する画像形成部と、を備えた、
ことを特徴とする画像形成装置。
【発明の詳細な説明】
【技術分野】
【０００１】
本発明は、画像形成装置に関する。
【背景技術】
【０００２】
画像形成装置等装置本体に対して開閉操作して開放・装着可能なシート搬送装置を、装置本体内方側の内側搬送部と、それよりも装置本体外方側の外側搬送部との分割構成となし、内側搬送部は、外側搬送部を装置本体に対して閉じて装着する動作に連動して外側搬送部と共に装置本体に装着され、また外側搬送部の装置本体からの開放動作に連動して開放動作するように構成されると共に、外側搬送部が開放状態にあるときに該外側搬送部とは独立して装置本体に対して閉じ操作して装着可能であり、かつ装置本体に対して装着されたときはその装着位置に係止保持されるように構成されているシート搬送装置が知られている（特許文献１）。
【０００３】
外装カバーの内側に開閉自在に設けられてシートを搬送するシート搬送ユニットには、該シート搬送ユニットを装置本体に係止させるための係止部材が支点を中心として回動自在に設けられ、装置本体に軸支された開閉自在な外装カバーの内側には、該外装カバーを閉じた際に、シート搬送ユニットの係止部材を押圧して、該係止部材を装置本体に係止させる押圧部材が設けられている画像形成装置も知られている（特許文献２）。
【先行技術文献】
【特許文献】
【０００４】
【特許文献１】特開平６−０１６２７９号公報
【特許文献２】特開２００９−２４２０６７号公報
【発明の概要】
【発明が解決しようとする課題】
【０００５】
本発明は、搬送ユニットおよび開閉扉の位置決めを、開閉扉に設けられた位置決め部材のみによって行う場合に、開閉扉が第１の搬送ローラ対および第２の搬送ローラ対の両方から受ける反力を低減することを目的とする。
【課題を解決するための手段】
【０００６】
前記課題を解決するために、請求項１記載の用紙搬送装置は、
用紙を搬送する第１の搬送ローラ対の一方が設けられた装置本体と、
前記装置本体の側面に形成された用紙搬送経路の一部を覆う閉位置と前記用紙搬送経路の一部を開放する開位置との間で移動可能に回転支持されるとともに前記用紙搬送経路に設けられた第２の搬送ローラ対の一方が設けられた開閉扉と、
前記第１の搬送ローラ対の他方と、前記第２の搬送ローラ対の他方とを備え前記開閉扉に搖動可能に支持された搬送ユニットと、を備え、
前記開閉扉が前記開位置から前記閉位置へ移動する際に、前記搬送ユニットが前記装置本体に形成された第１の位置決め部で位置決めされた後に、前記開閉扉が前記装置本体に形成された第２の位置決め部で位置決めされる、
ことを特徴とする。
【０００７】
請求項２記載の発明は、請求項１に記載の用紙搬送装置において、
前記搬送ユニットが前記装置本体に対向する内面側に板状の掛かり部を備え、前記開閉扉が前記閉位置に移動する際に、前記掛かり部が前記装置本体に設けられた案内面に接触しながら案内され、前記第１の位置決め部に形成された開口部に係合して位置決めされる、
ことを特徴とする。
【０００８】
請求項３記載の発明は、請求項１又は２に記載の用紙搬送装置において、
前記開閉扉が前記閉位置から前記開位置へ移動する際に、前記掛かり部が前記案内面に案内されて前記第１の位置決め部から離接して、前記搬送ユニットが前記開閉扉の移動方向へ回転して前記第１の搬送ローラ対を互いに離間させるともに、前記第２の搬送ローラ対を互いに離間させる、
ことを特徴とする。
【０００９】
請求項４記載の発明は、請求項１ないし３のいずれか１項に記載の用紙搬送装置において、
前記搬送ユニットが、一端が前記開閉扉の前記搬送ユニットに面した内面側に固定され、他端が前記搬送ユニットの前記開閉扉に面した外面側に固定された弾性部材に付勢されて、前記開閉扉が前記閉位置から前記開位置へ移動した際に、前記第２の搬送ローラ対を互いに離間させる、
ことを特徴とする。
【００１０】
請求項５記載の発明は、請求項１ないし３のいずれか１項に記載の用紙搬送装置において、
前記搬送ユニットが、一端が前記本体の前記搬送ユニットに面した内面側に固定され、他端が前記搬送ユニットの前記本体に面した内面側に固定された弾性部材に付勢されて、前記開閉扉が前記閉位置から前記開位置へ移動した際に、前記第２の搬送ローラ対を互いに離間させる、
ことを特徴とする。
【００１１】
前記課題を解決するために、請求項６記載の画像形成装置は、
請求項１ないし５のいずれか１項に記載の用紙搬送装置と、
前記用紙搬送装置によって搬送された記録媒体に画像を形成する画像形成部と、を備えた、
ことを特徴とする。
【発明の効果】
【００１２】
請求項１及び６に記載の発明によれば、搬送ユニットおよび開閉扉の位置決めを、開閉扉に設けられた位置決め部材のみによって行う場合に比して、開閉扉を位置決めする際にかかる反力を低減することができる。
請求項２に記載の発明によれば、搬送ユニットの掛かり部が装置本体に設けられた案内面に案内されない場合に比して、開閉扉の閉操作を容易に行うことができる。
請求項３に記載の発明によれば、開閉扉が閉位置から開位置へ移動する際に、第１の搬送ローラ対および第２の搬送ローラ対を互いに離間させる構成を有しない場合に比して、ジャム除去を容易に行うことができる。
請求項４及び５に記載の発明によれば、ユーザによる、第２の搬送ローラ対を互いに離間させるための操作を必要としない。
【図面の簡単な説明】
【００１３】
【図１】画像形成装置１の内部構成を示す縦断面模式図である。
【図２】画像形成装置１の用紙搬送部の内部構成と用紙搬送を示す断面模式図である。
【図３】画像形成装置１の用紙搬送部を開放したときの開閉扉１１０と用紙搬送ユニット６０の位置関係を示す模式図である。
【図４】用紙搬送ユニット６０の断面模式図である。
【図５】用紙搬送ユニット６０の筐体１００への係合を説明する斜視図である。
【図６】用紙搬送ユニット６０と開閉扉１１０との開放機構を示す斜視図である。
【図７】用紙搬送ユニット６０と開閉扉１１０との開放機構の変形例を示す斜視図である。
【図８】開閉扉１１０の開動作による用紙搬送ユニット６０の移動を説明するための部分模式図である。
【図９】開閉扉１１０の閉動作による用紙搬送ユニット６０の移動を説明するための全体模式図である。
【発明を実施するための形態】
【００１４】
次に図面を参照しながら、以下に実施形態及び具体例を挙げ、本発明を更に詳細に説明するが、本発明はこれらの実施形態及び具体例に限定されるものではない。
また、以下の図面を使用した説明において、図面は模式的なものであり、各寸法の比率等は現実のものとは異なることに留意すべきであり、理解の容易のために説明に必要な部材以外の図示は適宜省略されている。
尚、以後の説明の理解を容易にするために、図面において、前後方向をＸ軸方向、左右方向をＹ軸方向、上下方向をＺ軸方向とする。
【００１５】
（１）画像形成装置の全体構成及び動作
図１は本実施形態に係る画像形成装置１の内部構成を示す縦断面模式図である。
以下、図面を参照しながら、画像形成装置１の全体構成及び動作を説明する。
【００１６】
画像形成装置１は、筐体１００内に、制御装置１０、給紙装置２０、感光体ユニット３０、現像ユニット４０、転写ユニット５０、用紙搬送ユニット６０、定着ユニット７０等を備えて構成されている。画像形成装置１の上面（Ｚ方向）には、画像が記録された用紙が排出・収容される排出トレイ部Ｔが形成されている。さらに、画像形成装置１の側面（−Ｘ方向）には、用紙が紙詰まりした際の除去や点検等をする場合に、画像形成装置１の内部を開放する開閉扉１１０が回転可能に支持されている。
【００１７】
制御装置１０は、画像形成装置１の動作を制御する画像形成装置制御部１１と、印刷処理要求に応じた画像データを準備するコントローラ部１２、露光ヘッドＬＨの点灯を制御する露光制御部１３、電源装置１４等を有する。電源装置１４は、後述する帯電ローラ３２、現像ローラ４２、一次転写ローラ５２、二次転写ローラ６２等に高圧電圧を印加するとともに、露光ヘッドＬＨ、給紙装置２０、定着ユニット７０及び備えられた各センサ等に電力を供給する。
【００１８】
コントローラ部１２は、外部の情報送信装置（例えばパーソナルコンピュータ等）から入力された印刷情報を潜像形成用の画像情報に変換して予め設定されたタイミングで、駆動信号を露光ヘッドＬＨに出力する。本実施形態の露光ヘッドＬＨは、複数の発光素子（ＬＥＤ：Light  Emitting  Diode）が主走査方向に沿って線状に配列されたＬＥＤヘッドにより構成されている。
【００１９】
画像形成装置１の底部には、給紙装置２０が設けられている。給紙装置２０は、用紙積載板２１を備え、用紙積載板２１の上面には多数の記録媒体としての用紙Ｐが積載される。用紙積載板２１に積載され、規制板（不図示）で幅方向位置が決められた用紙Ｐは、上側から１枚ずつ用紙引き出し部２２により前方（−Ｘ方向）に引き出された後、用紙案内ガイド２３を経由して駆動ローラ２５ａと従動ローラ２５ｂとからなるレジストローラ対２５のニップ部まで搬送される。
【００２０】
感光体ユニット３０は、給紙装置２０の上方（Ｚ方向）に、それぞれが並列して設けられ、回転駆動する像保持体としての感光体ドラム３１を備えている。感光体ドラム３１の回転方向に沿って、帯電ローラ３２、露光ヘッドＬＨ、現像ユニット４０、一次転写ローラ５２、クリーニングブレード３４が配置されている。帯電ローラ３２には、帯電ローラ３２の表面をクリーニングするクリーニングローラ３３が対向、接触して配置されている。
【００２１】
現像ユニット４０は、内部に現像剤が収容される現像ハウジング４１を有する。現像ハウジング４１内には、感光体ドラム３１に対向して配置された現像ローラ４２と、この現像ローラ４２の背面側斜め下方には現像剤を現像ローラ４２側へ撹拌搬送する一対のオーガ４４、４５が配設されている。現像ローラ４２には、現像剤の層厚を規制する層規制部材４６が近接配置されている。
現像ユニット４０各々は、現像ハウジング４１に収容される現像剤を除いて略同様に構成され、それぞれがイエロー（Ｙ）、マゼンタ（Ｍ）、シアン（Ｃ）、黒（Ｋ）のトナー像を形成する。
【００２２】
回転する感光体ドラム３１の表面は、帯電ローラ３２により帯電され、露光ヘッドＬＨから出射する潜像形成光により静電潜像が形成される。感光体ドラム３１上に形成された静電潜像は現像ローラ４２によりトナー像として現像される。
【００２３】
転写ユニット５０は、各感光体ユニット３０の感光体ドラム３１にて形成された各色トナー像が多重転写される中間転写ベルト５１、各感光体ユニット３０にて形成された各色トナー像を中間転写ベルト５１に順次転写（一次転写）する一次転写ローラ５２を備えている。さらに、中間転写ベルト５１上に付着している残留トナーを除去する中間転写ベルトクリーナ５４を備えて構成されている。
【００２４】
用紙搬送ユニット６０は、給紙装置２０から繰り出された用紙Ｐの姿勢を補正して二次転写のタイミングに合わせて用紙Ｐを二次転写部ＴＲへ送り込むレジストローラ対２５の従動ローラ２５ｂと、中間転写ベルト５１上に重畳して転写された各色トナー像を記録媒体である用紙Ｐに一括転写（二次転写）する二次転写ローラ６２とを備えている。また、転写されたトナー像が保持された用紙Ｐは搬送ガイド６５を介して定着ユニット７０の定着ニップ部Ｎへ案内される。
【００２５】
各感光体ユニット３０の感光体ドラム３１に形成された各色トナー像は、画像形成装置制御部１１により制御される電源装置１４等から所定の転写電圧が印加された一次転写ローラ５２により中間転写ベルト５１上に順次静電転写（一次転写）され、各色トナーが重畳された重畳トナー像が形成される。
【００２６】
中間転写ベルト５１上の重畳トナー像は、中間転写ベルト５１の移動に伴って二次転写部ＴＲに搬送される。重畳トナー像が二次転写部ＴＲに搬送されると、そのタイミングに合わせてレジストローラ対２５から用紙Ｐが二次転写部ＴＲに供給される。
そして、二次転写ローラ６２には、画像形成装置制御部１１により制御される電源装置１４等から所定の転写電圧が印加され、レジストローラ対２５から送り出され、用紙案内ガイド２３により案内された用紙Ｐに中間転写ベルト５１上の多重トナー像が一括転写される。
【００２７】
感光体ドラム３１表面の残留トナーは、クリーニングブレード３４により除去され、廃トナー回収容器（不図示）に回収される。感光体ドラム３１の表面は、帯電ローラ３２により再帯電される。尚、クリーニングブレード３４で除去しきれず帯電ローラ３２に付着した残留物は、帯電ローラ３２に接触して回転するクリーニングローラ３３表面に捕捉され、蓄積される。
【００２８】
定着ユニット７０は、加熱モジュール７１と加圧モジュール７２を有し、加熱モジュール７１と加圧モジュール７２の圧接領域によって定着ニップ部Ｎ（定着領域）が形成される。
二次転写部ＴＲにおいてトナー像が転写された用紙Ｐは、トナー像が未定着の状態で搬送ガイド６５を経由して定着ユニット７０に搬送される。定着ユニット７０に搬送された用紙Ｐは、一対の加熱モジュール７１と加圧モジュール７２により、圧着と加熱の作用でトナー像が定着される。
【００２９】
定着トナー像が形成された用紙Ｐは、搬送ローラ対７８を介して排出ローラ対７９から画像形成装置１上面の排出トレイ部Ｔに排出される。また、両面印刷される場合は、表面が定着された用紙Ｐの後端が搬送ローラ対７８を通過した時点で、排出ローラ対７９が反転駆動されて、開閉扉１１０内に形成された反転搬送路から、レジストローラ対２５へ搬送されて裏面に画像形成が行われる。
【００３０】
（２）用紙搬送部の構成と動作
図２は画像形成装置１の用紙搬送部の内部構成と用紙搬送を示す断面模式図、図３は画像形成装置１の用紙搬送部を開放したときの開閉扉１１０と用紙搬送ユニット６０の位置関係を示す模式図、図４は用紙搬送ユニット６０の断面模式図、図５は用紙搬送ユニット６０の筐体１００への係合を説明する斜視図、図６は用紙搬送ユニット６０と開閉扉１１０との開放機構を示す斜視図、図７は用紙搬送ユニット６０と開閉扉１１０との開放機構の変形例を示す斜視図である用紙搬送部の部分断面模式図である。
以下、図面を参照しながら、画像形成装置１の用紙搬送部の構成と動作について説明する。
【００３１】
用紙搬送部は、筐体１００、開閉扉１１０、用紙搬送ユニット６０から構成されている。
【００３２】
（２．１）筐体
筐体１００は、側方（−Ｘ方向）に開口部を有し、内部には感光体ユニット３０、現像ユニット４０、転写ユニット５０等が収容されている。
筐体１００の開口部側下端には、開閉扉１１０の回転中心となる第１軸受部１０１が形成され、後述する開閉扉１１０の回転軸部１１１を回転可能に支持している。
【００３３】
筐体１００の開口部側上部には、第１の位置決め部の一例としての係合部１０２が形成されている。係合部１０２は下方（−Ｚ方向）に開口部１０２ａを有し、後述する用紙搬送ユニット６０に設けられた板状の掛かり部の一例としてのベース部６１が開口部１０２ａに進入して用紙搬送ユニット６０が画像形成装置１本体に係合される。
また、係合部１０２は全体が平面状の底面部１０２ｂと一体的に形成されて、筐体１００の用紙搬送ユニット６０と相対する面に固定され、底面部１０２ｂが、開閉扉１１０の開閉に伴って用紙搬送ユニット６０が回転移動する際のベース部６１の案内面となっている。
【００３４】
係合部１０２が固定された筐体１００のさらに上方（Ｚ方向）には、第２の位置決め部の一例としてのロックピン１０３がそれぞれ開閉扉１１０の開閉方向と交差する方向に突出して設けられている。
そして、開閉扉１１０の上方に揺動可能に設けられた係合レバー１１５の凹部１１５ａが嵌り込んで開閉扉１１０が筐体１００に開口部を閉塞した状態で固定される。
【００３５】
（２．２）開閉扉
開閉扉１１０は、内部に、後述する用紙搬送ユニット６０を回転支持するとともに、筐体１００の第１軸受部１０１に回転軸部１１１を支持されて、筐体１００の開口部を塞ぐ閉位置と開口部を開放する開位置との間で回転移動する。
開閉扉１１０の筐体１００と対向する内面には、表面が定着されたのち搬送方向を反転させられた用紙Ｐがレジストローラ対２５に再度合流するまでに通過する反転搬送路の一方となる外側搬送ガイド１１３が形成されている。
【００３６】
外側搬送ガイド１１３は、後述する用紙搬送ユニット６０に形成された内側搬送ガイド６３１と所定の間隙を保持して、反転搬送路を形成している。
反転搬送路内には、複数の搬送ローラ対１２０、１３０、１４０が配置され、外側搬送ガイド１１３には搬送ローラ対１２０、１３０、１４０を構成する駆動側搬送ローラ１２０ａ、１３０ａ、１４０ａが配置されている。
【００３７】
（２．３）用紙搬送ユニット
用紙搬送ユニット６０は、レジユニット部６１０、二次転写ユニット部６２０、両面ユニット部６３０から構成されている。
【００３８】
レジユニット部６１０は、第１用紙案内ガイド６１１、レジストローラ対２５の一方のローラである従動ローラ２５ｂ、第２用紙案内ガイド６１２を有している。レジストローラ対２５の他方のローラである駆動ローラ２５ａは装置本体側に配設されている。
第１用紙案内ガイド６１１は給紙装置２０から繰り出された用紙Ｐ及び両面ユニット部６３０を介して搬送される用紙Ｐをレジストローラ対２５のニップ部へ案内する。第２用紙案内ガイド６１２は、レジストローラ対２５から姿勢を補正して送り出される用紙Ｐを二次転写部ＴＲへ案内する。
【００３９】
二次転写ユニット部６２０は、ハウジング６２１、二次転写ローラ６２、搬送ガイド６５を有し、二次転写のタイミングに合わせて送り込まれた用紙Ｐに、ハウジング６２１内で中間転写ベルト５１側へ付勢された二次転写ローラ６２で中間転写ベルト５１上に保持されたトナー像を一括転写（二次転写）する。トナー像が転写された用紙Ｐは、搬送ガイド６５を介して定着ユニット７０の定着ニップ部Ｎへ案内される。
【００４０】
両面ユニット部６３０は、開閉扉１１０の内面側に形成された外側搬送ガイド１１３と対向して、反転搬送路の他面側を構成する内側搬送ガイド６３１を有し、両面印刷される用紙Ｐをレジストローラ対２５へ搬送する。
内側搬送ガイド６３１には、搬送ローラ対１３０のピンチローラ１３０ｂ、搬送ローラ対１４０のピンチローラ１４０ｂがそれぞれ回転自在に配設されている。
【００４１】
また、内側搬送ガイド６３１の下方側には、回転軸部６３２が左右一対に形成されている。回転軸部６３２は開閉扉１１０の両側側板１１０ａに形成された第２軸受部１１２に嵌挿され、用紙搬送ユニット６０は開閉扉１１０に対して回転可能に支持される。
【００４２】
図６に示すように、内側搬送ガイド６３１の両側には、弾性部材の一例としての圧縮コイルバネＳの一端が固定され、他端は開閉扉１１０の内側搬送ガイド６３１に面した内面側に固定されている。そして、開閉扉１１０が閉位置で固定されているときには、用紙搬送ユニット６０と開閉扉１１０の間には互いに圧縮コイルバネＳの付勢力が作用している。
【００４３】
そのために、開閉扉１１０が係合レバー１１５の筐体１００への係合を解除されて、開位置に移動する際に、開閉扉１１０に対して回転軸部６３２を中心に回転支持された用紙搬送ユニット６０は、開閉扉１１０の移動とともに、筐体１００に設けられた係合部１０２から底面部１０２ｂに沿って下方（−Ｚ方向）に移動して係合が解除される。
その結果、レジストローラ対２５のニップが解除されるとともに、反転搬送路を形成している内側搬送ガイド６３１と外側搬送ガイド１１３が圧縮コイルバネＳの付勢力によって互いに開放されて搬送ローラ対１２０、１３０、１４０のニップも解除される。
【００４４】
「変形例」
図７に示すように、用紙搬送ユニット６０は、圧縮コイルバネＳに代えて、内側搬送ガイド６３１の両側に、弾性部材の一例としての引張コイルバネＳＡの一端を固定し、筐体１００の用紙搬送ユニット６０に面した内面側に他端を固定して支持しても良い。
本変形例によれば、筐体１００に設けられた係合部１０２との係合が解除された用紙搬送ユニット６０は、開閉扉１１０の移動とともに回転移動し、引張コイルバネＳＡの張力によって回転移動の途中で保持される。そして、開閉扉１１０が更に回転移動することで、反転搬送路を形成している内側搬送ガイド６３１と外側搬送ガイド１１３が互いに開放されて搬送ローラ対１２０、１３０、１４０のニップも解除される。
【００４５】
（３）用紙搬送部の作用
このように構成される用紙搬送部は、使用者が、例えば用紙搬送部で発生した紙詰り用紙を除去する場合に、開閉扉１１０の開放動作とともに、用紙搬送ユニット６０が筐体１００から下方に移動しながら回転して、レジストローラ対２５のニップが解除される。また、反転搬送路を形成する外側搬送ガイド１１３と用紙搬送ユニット６０の両面ユニット部６３０に設けられた内側搬送ガイド６３１との間も解放されて搬送ローラ対１３０、１４０のニップも解除される。
【００４６】
図８は開閉扉１１０の開動作による用紙搬送ユニット６０の移動を説明するための用紙搬送部の模式図、図９は開閉扉１１０の閉動作による用紙搬送ユニット６０の移動を説明するための用紙搬送部の模式図である。
以下、図面を参照しながら、用紙搬送部における紙詰り用紙の除去にについて説明する。
【００４７】
（３．１）開閉扉の開動作
開閉扉１１０を閉位置から開位置に移動させる場合、使用者が開閉扉１１０の上方に設けられた係合レバー１１５を引き上げて筐体１００に設けられたロックピン１０３との係合を解除して開閉扉１１０を画像形成装置１本体の側方（図１における−Ｘ方向）へ回転移動させる。
筐体１００の開口部側上部に形成された係合部１０２は下方（−Ｚ方向）に開口部１０２ａを有し、用紙搬送ユニット６０に設けられたベース部６１が開閉扉１１０の移動に伴い、係合部１０２の底面部１０２ｂに接触しながら下方に案内されて、用紙搬送ユニット６０と筐体１００の係合部１０２との係合が解除される。
【００４８】
そして、開閉扉１１０を更に側方へ回転移動させると、開閉扉１１０に回転支持された用紙搬送ユニット６０は、開閉扉１１０の移動とともに回転移動し、レジストローラ対２５のニップが解除され、二次転写部ＴＲにおける二次転写ローラ６２と中間転写ベルト５１とのニップも解除される。
【００４９】
また、反転搬送路を形成している両面ユニット部６３０の内側搬送ガイド６３１と開閉扉１１０の外側搬送ガイド１１３が圧縮コイルバネＳの付勢力によって互いに開放されて搬送ローラ対１３０、１４０のニップも解除される。
その結果、使用者は給紙装置２０から繰り出された用紙Ｐが、転写ユニット５０と用紙搬送ユニット６０との間で紙詰りした場合に、容易にジャム除去することができる。
また、両面印刷時に反転搬送路を搬送中の用紙Ｐが反転搬送路で紙詰りした場合には、反転搬送路を形成している内側搬送ガイド６３１と外側搬送ガイド１１３の間が開放されて紙詰りした用紙Ｐを容易に視認して、ジャム除去することができる。
【００５０】
（３．２）開閉扉の閉動作
開閉扉１１０を開放された開位置から閉位置に戻す場合、使用者が開閉扉１１０を筐体１００側へ回転移動させる。
開閉扉１１０の筐体１００側への回転移動に伴って、開閉扉１１０に回転支持された用紙搬送ユニット６０も筐体１００側へ回転移動する。そして、用紙搬送ユニット６０のベース部６１が、筐体１００の開口部側上部に設けられた係合部１０２の底面部１０２ｂに接触しながら上方（Ｚ方向）へ案内されて、下方（−Ｚ方向）に開口部１０２ａを有する係合部１０２に係合されて位置決めされる。
【００５１】
用紙搬送ユニット６０が筐体１００の係合部１０２に係合された状態で、更に開閉扉１１０を筐体１００に対して回転移動させると、開閉扉１１０の上方に揺動可能に設けられた係合レバー１１５の凹部１１５ａが、筐体１００に設けられたロックピン１０３に嵌り込んで開閉扉１１０が筐体１００に開口部を閉塞した状態で固定される。
【００５２】
このようにして、開閉扉１１０を開放された開位置から閉位置に戻す場合、用紙搬送部を構成する用紙搬送ユニット６０と、反転搬送路の一面を構成する外側搬送ガイド１１３を有する開閉扉１１０が、それぞれ筐体１００に係止されて、開閉扉１１０に反力を及ぼす接触タイミングが、同時となることがない。
そのために、開閉扉１１０に作用する接触反力が分散されて、開閉扉１１０の閉操作を容易に行うことができる。また、開閉扉１１０の閉位置への移動に際し、用紙搬送ユニット６０から受ける反力が分散されて、開閉扉１１０の破損を抑制することができる。
【００５３】
この開閉扉１１０が筐体１００に係合されて閉位置に位置した状態では、用紙搬送ユニット６０は、レジストローラ対２５のニップ及び二次転写部ＴＲにおける二次転写ローラ６２のニップによる反力を受けるが、筐体１００と用紙搬送ユニット６０が係合部１０２で係合されて位置決めされているために、用紙搬送ユニット６０が受ける反力が開閉扉１１０の外側搬送ガイド１１３に作用することがない。
そのために、反転搬送路内で搬送ローラ対１３０、１４０を介して用紙搬送ユニット６０が受ける反力が外側搬送ガイド１１３に及ぶことがなく、外側搬送ガイド１１３の変形を抑制することができる。
【符号の説明】
【００５４】
１・・・画像形成装置
１０・・・制御装置
２０・・・給紙装置
２５・・・レジストローラ対
２５ａ・・・駆動ローラ
２５ｂ・・・従動ローラ
３０・・・感光体ユニット
４０・・・現像ユニット
５０・・・転写ユニット
５１・・・中間転写ベルト
５２・・・一次転写ローラ
６０・・・用紙搬送ユニット
６１０・・・レジユニット部
６１１・・・第１用紙案内ガイド
６１２・・・第２用紙案内ガイド
６２０・・・二次転写ユニット部
６３０・・・両面ユニット部
６３１・・・内側搬送ガイド
６１・・・ベース部
６２・・・二次転写ローラ
７０・・・定着ユニット
１００・・・筐体
１０１・・・第１軸受部
１０２・・・係合部
１０２ａ・・・開口部（係合部）
１０２ｂ・・・底面部（係合部）
１０３・・・ロックピン
１１０・・・開閉扉
１１１・・・回動軸部（開閉扉）
１１２・・・下保持部
１１３・・・外側搬送ガイド
１１５・・・係合レバー
１２０、１３０、１４０・・・搬送ローラ対（反転搬送路）
Ｓ・・・圧縮コイルバネ
ＳＡ・・・引張コイルバネ
【図１】
2015174699.tif 000003
【図２】
2015174699.tif 000004
【図３】
2015174699.tif 000005
【図４】
2015174699.tif 000006
【図５】
2015174699.tif 000007
【図６】
2015174699.tif 000008
【図７】
2015174699.tif 000009
【図８】
2015174699.tif 000010
【図９】
2015174699.tif 000011